(57)【要約】【課題】長さが異なる数種の操作キーによって施解錠することができると共に、長さの長い操作キーによって施解錠した場合に、その操作キーより短い操作キーでは施解錠することができないようにした施錠用シリンダを提供することである。【解決手段】内筒１０内に形成された複数のタンブラ室２３を３つのグループに分けると共に、内筒１０の開口部１４に挿入されたロック部材１５も長さ方向に３分割して第１乃至第３分割ロック部材１５ａ乃至１５ｃを形成する。グループ分けされたタンブラ室２３にタンブラ２８、２９とロックプレート３０を組込んで揺動自在に支持し、各ロックプレート３０に形成された保持片４２を分割ロック部材１５ａ乃至１５ｃに形成された保持孔４５に係合させて各分割ロック部材１５ａ乃至１５ｃを係合解除位置に保持し、長さの異なる操作キーを短い操作キーから順にキーウェイ２６に挿入することにより、第１分割ロック部材１５ａから順に係合状態とさせて、３種類の施錠用シリンダが得られるようにする。【選択図】図１
2005090074.tif 000002
【特許請求の範囲】
【請求項１】
内周面に軸方向に延びるロック溝が形成された外筒と、その外筒内に組込まれて前記ロック溝と対応する位置に軸方向に長く延びる開口部が設けられた内筒と、前記開口部内に挿入されて内筒の半径方向に移動可能とされたロック部材と、そのロック部材を外筒の内周に押し付けるスプリングとを有し、前記内筒内の軸方向に複数のガイドプレートを間隔をおいて取付けて隣接するガイドプレート間にタンブラ室を形成し、各ガイドプレートおよび内筒の一端開口を閉塞するトッププラグにキーウェイを設け、そのキーウェイの両側に各ガイドプレートを貫通する２本のピンを設け、前記軸方向に並ぶ複数のタンブラ室を第１乃至第ｎのグループに分け、各グループにおける複数のタンブラ室の１つに前記各ピンを中心にして揺動可能な一対のロックプレートと、残りのタンブラ室に前記各ピンを中心にして揺動可能な板状のタンブラとを組込み、前記タンブラのそれぞれにはキーウェイと対向する側縁の一部に先端に丸みを有する突起と、内筒の開口部と対向する外周に切欠きとを設け、前記突起がキーウェイに臨む状態に各タンブラを弾性保持するタンブラばねを設け、前記第１グループ、第１および第２グループ、第１乃至第ｎグループのタンブラを解錠操作する長さが異なる第１乃至第ｎ操作キーをキーウェイに対して抜き差し自在とし、各操作キーには対応するグループの各タンブラの突起と対応する位置に、その突起を位置決めして各タンブラの切欠きを前記キーウェイと平行する状態とする位置決め部を設け、前記ロック部材にはキーウェイに平行する切欠きに対して侵入可能な第１および第２係止片と、外筒のロック溝に対して係合可能な断面Ｖ形の係合部とを設け、前記ロック部材をタンブラ室のグループと同数に分割して第１乃至第ｎ分割ロック部材を設け、各分割ロック部材の第１および第２係合片には各ロックプレートと対応する位置に保持孔を形成し、前記ロックプレートには前記保持孔に係合して分割ロック部材をその係合部がロック溝から外れるロック解除状態に保持するＬ形の保持片と、キーウェイに対する第１乃至第ｎ操作キーの挿入により、その各操作キーで押されて保持片が保持孔から外れる方向にロックプレートを揺動させる突起とを設けた施錠用シリンダ。
【発明の詳細な説明】
【技術分野】
【０００１】
この発明は、ドアを閉鎖状態でロックする施錠用シリンダに関するものである。
【背景技術】
【０００２】
一般に、集合住宅等の建物を建設する場合、建物がある程度でき上がってドアが取付けられると、そのドアに施錠用シリンダを取付け、工事関係者以外の者が不法に侵入するのを防止するようにしている。
【０００３】
完成された建物は、通常、仲介を介して販売されるので、施錠用シリンダは売買が成立するまでの間、仲介者によって施解錠されることになる。
【０００４】
ここで、建物の建築中から契約者が建物を手に入れるまでドアに設けられた施錠用シリンダが同じものであれば、操作キーは工事関係者から仲介者に、その仲介者から契約者に渡されることになる。この場合、操作キーが契約者に渡されるまでの間で複製されると、不法に侵入されるおそれがあり、安全性に問題がある。
【発明の開示】
【発明が解決しようとする課題】
【０００５】
上記のような問題点を解決するため、従来では、建物が完成して、その建物が仲介者に渡される段階あるいは仲介者から契約者に渡される段階において、施錠用シリンダを別の施錠用シリンダに取り替えるようにしているため、きわめて不経済であり、その取り替えにも手間がかかっていた。
【０００６】
この発明の課題は、長さが異なる数種のキーによって施解錠することができると共に、長さが長い操作キーによって施錠用シリンダを施解錠した場合に、その操作キーより短い操作キーでは以後施解錠することができないようにした安全性に優れた施錠用シリンダを提供することである。
【課題を解決するための手段】
【０００７】
上記の課題を解決するために、この発明においては、内周面に軸方向に延びるロック溝が形成された外筒と、その外筒内に組込まれて前記ロック溝と対応する位置に軸方向に長く延びる開口部が設けられた内筒と、前記開口部内に挿入されて内筒の半径方向に移動可能とされたロック部材と、そのロック部材を外筒の内周に押し付けるスプリングとを有し、前記内筒内の軸方向に複数のガイドプレートを間隔をおいて取付けて隣接するガイドプレート間にタンブラ室を形成し、各ガイドプレートおよび内筒の一端開口を閉塞するトッププラグにキーウェイを設け、そのキーウェイの両側に各ガイドプレートを貫通する２本のピンを設け、前記軸方向に並ぶ複数のタンブラ室を第１乃至第ｎのグループに分け、各グループにおける複数のタンブラ室の１つに前記各ピンを中心にして揺動可能な一対のロックプレートと、残りのタンブラ室に前記各ピンを中心にして揺動可能な板状のタンブラとを組込み、前記タンブラのそれぞれにはキーウェイと対向する側縁の一部に先端に丸みを有する突起と、内筒の開口部と対向する外周に切欠きとを設け、前記突起がキーウェイに臨む状態に各タンブラを弾性保持するタンブラばねを設け、前記第１グループ、第１および第２グループ、第１乃至第ｎグループのタンブラを解錠操作する長さが異なる第１乃至第ｎ操作キーをキーウェイに対して抜き差し自在とし、各操作キーには対応するグループの各タンブラの突起と対応する位置に、その突起を位置決めして各タンブラの切欠きを前記キーウェイと平行する状態とする位置決め部を設け、前記ロック部材にはキーウェイに平行する切欠きに対して侵入可能な第１および第２係止片と、外筒のロック溝に対して係合可能な断面Ｖ形の係合部とを設け、前記ロック部材をタンブラ室のグループと同数に分割して第１乃至第ｎ分割ロック部材を設け、各分割ロック部材の第１および第２係合片には各ロックプレートと対応する位置に保持孔を形成し、前記ロックプレートには前記保持孔に係合して分割ロック部材をその係合部がロック溝から外れるロック解除状態に保持するＬ形の保持片と、キーウェイに対する第１乃至第ｎ操作キーの挿入により、その各操作キーで押されて保持片が保持孔から外れる方向にロックプレートを揺動させる突起とを設けた構成を採用したのである。
【０００８】
上記の構成から成る施錠用シリンダにおいて、最も長さが短い第１操作キーをキーウェイに差し込むと、第１グループのロックプレートが揺動して保持片が保持孔から外れ、スプリングの押圧により第１分割ロック部材が内筒の半径方向外方に移動して係合部がロック溝に係合する。また、第１グループの複数のタンブラ室に組込まれた各タンブラが揺動して、各タンブラの切欠きが第１分割ロック部材の第１および第２係合片と対向する解錠状態とされる。このため、第１操作キーを回転させると、ロック溝の内面と係合部との接触により第１分割ロック部材が半径方向内方に移動して内筒が回転し、施錠用シリンダを解錠することができる。
【０００９】
第２操作キーをキーウェイに挿入すると、第２グループのロックプレートが揺動して保持片が第２分割ロック部材の保持孔から外れ、スプリングの押圧により第２分割ロック部材が内筒の半径方向外方に移動して係合部がロック溝に係合する係合状態とされる。
【００１０】
このため、第１操作キーがキーウェイに挿入されても、その第１操作キーによって第２グループの複数のタンブラを解錠位置に変位させることができないため、第１操作キーによって施錠用シリンダを解錠操作することができない。
【００１１】
また、第ｎ操作キーをキーウェイに挿入すると、第ｎグループのロックプレートが揺動して保持爪が第ｎ分割ロック部材の保持孔から外れ、スプリングの押圧により第ｎ分割ロック部材が内筒の半径方向外方に移動して係合部がロック溝に係合する係合状態とされる。
【００１２】
このため、第ｎ操作キー以外の操作キーがキーウェイに挿入されたとしても、その操作キーによって第ｎグループのタンブラを解錠位置に変位させることができず、第ｎ操作キー以外の操作キーでは施錠用シリンダを解錠操作することができない。
【発明の効果】
【００１３】
この発明に係る施錠用シリンダにおいては、長さが短い操作キーから順に施解錠操作することができると共に、長さが長い操作キーによって解錠操作すると、その操作キーより短い操作キーでは施解錠することができないため、例えば建物を建てる工事関係者に第１操作キーを、建物を販売する仲介者に第２操作キーを、建物の購入者に第ｎ操作キーを渡すことによって、建物が各者に渡される段階で施錠用シリンダを新しい施錠用シリンダに取り替える必要がなく、安全性に優れた施錠用シリンダを得ることができる。
【発明を実施するための最良の形態】
【００１４】
以下、この発明の実施の形態を図面に基づいて説明する。図１乃至図７に示すように、この発明に係る施錠用シリンダは、外筒１と、その外筒１内に組込まれた回転可能な内筒１０を有し、前記外筒１の内周面には軸方向に長く延びる断面Ｖ形のロック溝２が形成されている。
【００１５】
図１乃至図３に示すように、内筒１０は、２枚の弧状板１１を円筒形に組合わせ、その弧状板１１の一端部にトッププラグ１２を取付けると共に、他端部間にテールプラグ１３を取付けて２枚の弧状板１１を円筒形の組合わせ状態に保持しており、前記２枚の弧状板１１の側縁間に軸方向に長く延びる開口部１４を形成している。
【００１６】
開口部１４は内筒１０の回転によって図３に示すように、外筒１のロック溝２と対向し、その開口部１４内に組込まれたロック部材１５は内筒１０に対して回り止めされ、かつ半径方向に移動自在とされている。ロック部材１５は相反する方向に傾斜する一対の傾斜板部１６の交差部に断面Ｖ形の係合部１７を設け、かつ、一対の傾斜板部１６のそれぞれ側縁に開口部１４の側面で案内される第１係止片１８ａおよび第２係止片１８ｂを設けた構成とされている。このロック部材１５は複数のスプリング１９によって外筒１の内周面に押し付けられ、外筒１のロック溝２に対する係合部１７の係合によって内筒１０を回り止めするようになっている。
【００１７】
図１に示すように、内筒１０の内部には複数の第１ガイドプレート２１と第２ガイドプレート２２が軸方向に交互に取付けられ、隣接する第１ガイドプレート２１と第２ガイドプレート２２間にタンブラ室２３が設けられている。
【００１８】
図４に示すように、第１ガイドプレート２１にはロック部材１５の第１係合片１８ａおよび第２係合片１８ｂがスライド自在に挿入される挿入溝２４が形成され、一方、第２ガイドプレート２２には、図５に示すように、上記挿入溝２４が形成されず、その代わりに第１係合片１８ａおよび第２係合片１８ｂに第２ガイドプレート２２が挿入される切欠部２５が設けられている。
【００１９】
なお、第２ガイドプレート２２を省略して、第１ガイドプレート２１のみを内筒１０内に組込むようにしてもよい。なお、以下の説明では、第１ガイドプレート２１および第２ガイドプレート２２を単にガイドプレート２１、２２と呼称する。
【００２０】
図１および図２に示すように、内筒１０のトッププラグ１２および複数のガイドプレート２１、２２にはキーウェイ２６が直線上に並ぶようにして形成されている。
【００２１】
キーウェイ２６の両側には複数のガイドプレート２１、２２を貫通する２本のピン２７が設けられている。
【００２２】
内筒１０内の軸方向に設けられた複数のタンブラ室２３は第１グループＧ1 乃至第３グループＧ3 の３つのグループに分けられ、各グループＧ1 乃至Ｇ3 の複数のタンブラ室２３に数種のフェース用タンブラおよび数種のエッジ用タンブラから選択されるタンブラ２８、２９と、一対のロックプレート３０とが組込まれている。
【００２３】
フェース用タンブラ２８およびエッジ用タンブラ２９と、一対のロックプレート３０は薄金属板のプレス成形品から成る。図４に示すように、タンブラ２８、２９はピン２７を中心にして揺動自在に支持され、一方、ロックプレート３０は図３に示すようにピン２７を中心にして揺動自在に支持されている。
【００２４】
図４に示すように、フェース用タンブラ２８には、キーウェイ２６と対向する一側縁の下部に半球状の突起３１が設けられている。また、フェース用タンブラ２８の内筒１０開口部に対向する外周は円弧縁３２とされ、その円弧縁３２にロック部材１５の第１係止片１８ａ又は第２係止片１８ｂが挿入可能な切欠き３３が形成されている。さらに、フェース用タンブラ２８の他側縁にはばね取付け凹部３４が設けられている。
【００２５】
上記フェース用タンブラ２８は、ピン２７の中心と切欠き３３を結ぶ直線およびピン２７の中心と突起３１の中心を結ぶ直線の２本の直線で形成される角度が相違する数種のものが用意され、その数種のフェース用タンブラ２８から選択されたものがタンブラ室２３に組込まれてピン２７を中心に揺動自在に支持される。
【００２６】
一方、エッジ用タンブラ２９のキーウェイ２６と対向する一側縁の上部には半球状の突起３５が設けられている。また、エッジ用タンブラ２９の内筒１０開口部に対向する外周は円弧縁３６とされ、その円弧縁３６にロック部材１５の第１係止片１８ａ又は第２係止片１８ｂが挿入可能な切欠き３７が形成されている。さらに、エッジ用タンブラ２９の他側縁にはばね取付け凹部３８が形成されている。
【００２７】
上記エッジ用タンブラ２９は、ピン２７の中心と切欠き３７を結ぶ直線およびピン２７の中心と半球状突起３５の中心を結ぶ直線の２本の直線で形成される角度が相違する数種のものが用意され、その中から選択されたエッジ用タンブラ２９がタンブラ室２３に組込まれてピン２７を中心に揺動自在に支持される。
【００２８】
フェース用タンブラ２８およびエッジ用タンブラ２９のそれぞれはばね取付け凹部３４、３８に取付けられるタンブラばね３１によって突起３１、３５がキーウェイ２６に臨む状態に保持され、この状態において、各タンブラ２８、２９の切欠き３３、３７はロック部材１５の第１係止片１８ａおよび第２係止片１８ｂに対して位置がずれている。
【００２９】
図３および図６に示すように、ロックプレート３０のキーウェイ２６に対向する一側縁には外周をテーパとした突起４１が設けられている。また、ロックプレート３０の内筒１０開口部に対向する外周にＬ形の保持片４２が形成されている。さらに、ロックプレート３０の他側縁にはばね取付け凹部４３が設けられている。
【００３０】
ロックプレート３０はばね取付け凹部４３に取付けられたばね４４によって突起４１がキーウェイ２６に臨む状態に保持される。
【００３１】
図１に示すように、ロック部材１５は長さ方向に３分割されて、第１グループＧ1 の複数のタンブラ室２３に対応する第１分割ロック部材１５ａと、第２グループＧ2 の複数のタンブラ室２３に対応する第２分割ロック部材１５ｂと、第３グループＧの複数のタンブラ室２３に対応する第３分割ロック部材１５ｃとが形成されている。これらの各分割ロック部材１５ａ乃至１５ｃはスプリング１９によって個々に外筒１の内周に向けて付勢されている。
【００３２】
第１乃至第３分割ロック部材１５ａ乃至１５ｃの第１係合片１８ａおよび第２係止片１８ｂには第１乃至第３グループＧ1 乃至Ｇ3 のタンブラ室２３に組込まれたロックプレート３０のそれぞれに対応して保持孔４５が形成されている。
【００３３】
ここで、第１乃至第３グループＧ1 乃至Ｇ3 のタンブラ室２３に組込まれたロックプレート３０の突起４１が図６に示すようにキーウェイ２６に臨む状態において保持片４２が第１分割ロック部材１５ａ乃至第３分割ロック部材１５ｃの保持孔４５に係合し、その係合によって第１分割ロック部材１５ａ乃至第３分割ロック部材１５ｃは係合部１７がロック溝２から外れた係合解除状態に保持される。その係合解除状態において、第１分割ロック部材１５ａ乃至第３分割ロック部材１５ｃの第１係止片１８ａおよび第２係止片１８ｂはタンブラ室２３に組込まれたタンブラ２８、２９の切欠き３３に嵌り、各タンブラ２８、２９を解除位置に保持している。
【００３４】
図１に形成されるキーウェイ２６には、図８に示す第１操作キーＫ1 、図１０に示す第２操作キーＫ2 および図１１に示す第３操作キーＫ3 が抜き差し自在とされている。
【００３５】
第１操作キーＫ1 乃至第３操作キーＫ3 は長さが相違し、最も短い操作キーＫ1 は第１グループＧの各タンブラ室２３に組込まれた複数のタンブラ２８、２９と対応する位置に、各タンブラ２８、２９の突起３１、３５を位置決めして、各タンブラ２８、２９の切欠き３３、３７をキーウェイ２６に平行する解錠状態に保持するディンプルから成る位置決め部４６が設けられている。
【００３６】
また、第１操作キーＫ1 はキーウェイ２６に対する挿入時に、その先端で第１グループＧのタンブラ室２３に組込まれたロックプレート３０の突起４１を押圧して、そのロックプレート３０の保持片４２が第１分割ロック部材１５ａの保持孔４５から抜け出す係合解除位置まで第１ロックプレート１５ａを揺動させるようになっている。そのロックプレート３０をスムーズに揺動させるため、第１操作キーＫ1 の先端部にはテーパ面４７が形成されている。
【００３７】
長さが中の第２操作キーＫ2 は第１グループＧ1 および第２グループＧ2 の各タンブラ室２３に組込まれた複数のタンブラ２８、２９と対応する位置に、各タンブラ２８、２９の突起３１、３５を位置決めして、各タンブラ２８、２９の切欠き３３、３７をキーウェイ２６に平行する解錠状態に保持するディンプルから成る位置決め部４６が設けられている。
【００３８】
また、第２操作キーＫ2 は、キーウェイ２６に対する挿入時に、その先端で第２グループＧ2 のタンブラ室２３に組込まれたロックプレート３０の突起４１を押圧して、そのロックプレート３０の保持片４２が第２分割ロック部材１５ｂの保持孔４５から抜け出す係合解除位置までロックプレート３０を揺動させるようになっている。そのロックプレート３０をスムーズに揺動させるため、第２操作キーＫ2 の先端部にはテーパ面４７が設けられている。
【００３９】
長さが最も長い第３操作キーＫ3 は、第１グループＧ1 乃至第３グループＧ3 の各タンブラ室２３に組込まれたタンブラ２８、２９と対応する位置に、各タンブラ２８、２９の突起３１、３５を位置決めして、各タンブラ２８、２９の切欠き３１、３５をキーウェイ２６に平行する解錠状態に保持するディンプルから成る位置決め部４６が設けられている。
【００４０】
また、第３操作キーＫ3 は、キーウェイ２６に対する挿入時に、その先端で第３グループＧ3 のタンブラ室２３に組込まれたロックプレート３０の突起４１を押圧して、そのロックプレート３０の保持片４２が第３分割ロック部材１５ｃの保持孔４５から抜け出す係合解除位置までロックプレート３０を揺動させるようになっている。そのロックプレート３０をスムーズに揺動させるため、第３操作キーＫ3 の先端部にテーパ面４７が設けられている。
【００４１】
実施の形態で示す施錠用シリンダは上記の構造から成り、第１分割ロック部材１５ａ乃至第３分割ロック部材１５ｃが保持孔４５に対するロックプレート３０の保持片４２の係合によって係合解除位置に保持される状態において、キーウェイ２６に第１操作キーＫ1 を挿入すると、第１グループＧ1 のタンブラ室２３におけるロックプレート３０の突起４１が第１操作キーＫ1 の先端で押圧され、その押圧により、ロックプレート３０が揺動して、保持片４２が保持孔４５から外れ、第１分割ロック部材１５ａはスプリング１９の弾性により半径方向外方に移動して、図３に示すように、第１分割ロック部材１５ａの係合部１７が外筒１のロック溝２に係合する。また、第１グループＧ1 の各タンブラ２８、２９は、切欠き３３が第１、第２係止片１８ａ、１８ｂに対して位置がずれ、突起３１、３５がキーウェイ２６に臨む係合解除位置に揺動する。
【００４２】
第１操作キーＫ1 を完全に挿入すると、第１グループＧのタンブラ室２３に組込まれた複数のタンブラ２８、２９の突起３１、３５が第１操作キーＫ1 の位置決め部４６により位置決めされ、複数のタンブラ２８、２９は切欠き３３、３７がキーウェイ２６に平行する係合解除状態とされる。
【００４３】
そこで、第１操作キーＫ1 に回転力を付与すると、第１分割ロック部材１５ａの係合部１７とロック溝２の内面の接触により、第１ロック部材１５ａはスプリング１９の弾性に抗して内筒１０の半径方向内方に移動し、第１および第２係止片１８ａ、１８ｂが複数のタンブラ２８、２９のそれぞれに形成された切欠き３３、３７内に侵入して、第１分割ロック部材１５ａは係合解除状態とされる。
【００４４】
このとき、第２分割ロック部材１５ｂおよび第３分割ロック部材１５ｃのそれぞれは、係合解除状態に保持されているため、第１操作キーＫ1 に対する回転力の付加によって内筒１０が外筒１に対して回転され、施錠用シリンダは解錠状態とされる。
【００４５】
第１操作キーＫ1 を施錠位置に戻すと、スプリング１９の押圧力により第１分割ロック部材１５ａは半径方向外方に移動して係合部１７がロック溝２に係合し、第１分割ロック部材１５ａは係合状態とされる。その係合状態で第１操作キーＫ1 をキーウェイ２６から引き抜くと、タンブラばね４０の押圧力により第１グループＧ1 のタンブラ室２３における各タンブラ２８、２９は図４に示すように、突起３１、３５がキーウェイ２６に臨むと共に、切欠き３３、３７が第１および第２係合片１８ａ、１８ｂに対して位置がずれる施錠位置に戻され、施錠用シリンダは施錠状態とされる。
【００４６】
次に、第２操作キーＫ2 をキーウェイ２６に挿入すると、第２グループＧ2 のタンブラ室２３に組込まれたロックプレート３０の突起４１が押圧され、その押圧により、ロックプレート３０が揺動し、保持片４２が第２分割ロック部材１５ｂの保持孔４５から抜け出し、第２分割ロック部材１５ｂは半径方向外方に移動して、係合部１７がロック溝２に係合する係合状態とされる。
【００４７】
第２操作キーＫ2 をキーウェイ２６に完全に挿入すると、第１グループＧ1 および第２グループＧ2 のタンブラ室２３に組込まれた複数のタンブラ２８、２９のそれぞれが位置決め部４６に対する突起３１、３５の位置決めによって解錠状態とされる。
【００４８】
そこで、第２操作キーＫ2 に回転力を付与すると、第１および第２分割ロック部材１５ａ、１５ｂが係合部１７とロック溝２の内面の接触により内筒１０の半径方向内方に移動して第１係止片１８ａおよび第２係止片１８ｂが各タンブラ２８、２９の切欠き３３、３７に侵入する係合解除状態とされ、内筒１０が外筒１に対して回転し、施錠用シリンダは解錠状態とされる。
【００４９】
第２操作キーＫ2 の引き抜き後、キーウェイ２６に第３操作キーＫ3 を挿入すると、第３グループＧ3 のタンブラ室２３に組込まれたロックプレート３０の突起４１が第２操作キーＫ2 の先端で押され、ロックプレート３０は保持片４２が第３分割ロック部材１５ｃの保持孔４５から抜け出す方向に揺動して係合解除状態とされる。その係合解除によって第３分割ロック部材１５ｃがスプリング１９の押圧によって半径方向外方に移動し、係合部１７がロック溝２に係合する係合状態とされる。
【００５０】
第３操作キーＫ3 を完全に挿入すると、第１乃至第３グループＧ1 乃至Ｇ3 のタンブラ室２３に組込まれたタンブラ２８、２９のそれぞれは位置決め部４６に対する突起３１、３５の位置決めによって切欠き３３、３７がキーウェイ２６に平行する解錠状態とされる。このため、第３操作キーＫ3 に回転力を付与すると、第３分割ロック部材１５ｃはロック溝２の内面と係合部１７との接触により内筒１０の半径方向内方に移動して、第１および第２係止片１８ａ、１８ｂが各タンブラ２８、２９の切欠き３３、３７に侵入し、内筒１０が外筒１に対して回転して、施錠用シリンダは解錠状態とされる。
【００５１】
このように、第２操作キーＫ2 をキーウェイ２６に一旦挿入すると、第２分割ロック部材１５ｂは係合部１７がロック溝２に係合する係合状態とされるので、第１操作キーＫ1 がキーウェイ２６に差し込まれても第２グループＧ2 のタンブラ室２３に組込まれたタンブラ２８、２９を解錠位置に変位させることができず、第１操作キーＫ1 によって施錠用シリンダを解錠操作することができない。
【００５２】
また、第３操作キーＫ3 をキーウェイ２６に一旦挿入すると、第３分割ロック部材１５ｃは係合部１７がロック溝２に係合する係合状態とされるため、第１操作キーＫ1 および第２操作キーＫ2 によって施錠用シリンダを解錠操作することができない。
【００５３】
したがって、建物の建築時に、第１操作キーＫ1 を工事関係者に渡し、その建物が仲介者に渡される段階で、第２操作キーＫ2 を仲介者に渡し、さらに、建物が仲介者から購入者に渡される段階で第３操作キーＫ3 を購入者に渡すことによって、建物が各者に渡される段階で施錠用シリンダを新しい施錠用シリンダに取り替える必要がなくなり、きわめて経済的で安全性に優れた施錠用シリンダを提供することができる。
【００５４】
実施の形態では、内筒１０の内部に設けられた複数のタンブラ室２３を３つのグループに分けると共に、ロック部材１５を長さ方向に３分割したが、分割数は３つに限定されるものではなく、２つ以上の分割数であればよい。
【図面の簡単な説明】
【００５５】
【図１】この発明に係る施錠用シリンダの実施の形態を示す縦断正面図
【図２】図１の横断面図
【図３】図１のIII−III線に沿った断面図
【図４】図１のIV−IV線に沿った断面図
【図５】図１のＶ−Ｖ線に沿った断面図
【図６】図１のVI−VI線に沿った断面図
【図７】図１のVII −VII 線に沿った断面図
【図８】施錠用シリンダのキーウェイに第１操作キーを挿入した状態の縦断正面図
【図９】第１操作キーによって内筒を回転させた状態の縦断側面図
【図１０】施錠用シリンダのキーウェイに第２操作キーを挿入した状態の縦断正面図
【図１１】施錠用シリンダのキーウェイに第３操作キーを挿入した状態の縦断正面図
【符号の説明】
【００５６】
１    外筒
２    ロック溝
１０    内筒
１４    開口部
１５    ロック部材
１５ａ    第１分割ロック部材
１５ｂ    第２分割ロック部材
１５ｃ    第３分割ロック部材
１８ａ    第１係止片
１８ｂ    第２係止片
２１    第１ガイドプレート
２２    第２ガイドプレート
２３    タンブラ室
２６    キーウェイ
２７    ピン
２８、２９    タンブラ
３０    ロックプレート
３１    突起
３３    切欠き
３５    突起
３７    切欠き
４０    タンブラばね
４１    突起
４２    保持片
４５    保持孔
Ｋ1     第１操作キー
Ｋ2     第２操作キー
Ｋ3     第３操作キー
４６    位置決め部
４７    テーパ面
【図１】
2005090074.tif 000003
【図２】
2005090074.tif 000004
【図３】
2005090074.tif 000005
【図４】
2005090074.tif 000006
【図５】
2005090074.tif 000007
【図６】
2005090074.tif 000008
【図７】
2005090074.tif 000009
【図８】
2005090074.tif 000010
【図９】
2005090074.tif 000011
【図１０】
2005090074.tif 000012
【図１１】
2005090074.tif 000013